(57)【要約】【課題】ばねクラッチの入力側部材と出力側部材の互いの対向面の間へのコイルばねの落ち込みを防止する。【解決手段】入力側部材１の出力側部材２との対向面に設けた係合穴１ａに、出力側部材２の入力側部材１との対向面に設けた係合軸９を摺動自在に挿入し、その係合軸９の外周から張り出す係合凸部９ｃを係合穴１ａの段差面１ｂと軸方向で係合させて、入力側部材１と出力側部材２の軸方向で互いに離れる方向の相対移動を規制することにより、入力側部材１や出力側部材２の軸方向寸法精度が低い場合でも、コイルばね３が巻き付けられている入力側部材１の一部であるスリーブ６と出力側部材２の一部である出力軸８の互いの対向面の間の間隔が、コイルばね３の断面の幅寸法よりも広くならず、両部材６、８の対向面の間へのコイルばね３の落ち込みを防止できるようにした。【選択図】図１
2018179246.tif 000002
【特許請求の範囲】
【請求項１】
外周に円筒面が形成された端部どうしが軸方向で対向し、同一軸心のまわりに回転する状態で配されている入力側部材および出力側部材と、前記入力側部材と出力側部材の互いの対向端部の外周に跨って巻き付けられているコイルばねとを備え、前記入力側部材と出力側部材の互いの対向面の間の間隔が、前記コイルばねの断面の幅寸法よりも小さく設定されているばねクラッチにおいて、
前記入力側部材と出力側部材の互いの対向面の一方の中央に、軸方向に延びる円形の係合穴が設けられ、前記入力側部材と出力側部材の互いの対向面の他方の中央に、前記係合穴に摺動自在に挿入される係合軸が設けられ、前記係合軸はその外周から径方向外側に張り出す係合凸部を有し、前記係合軸の係合凸部が前記係合穴の内面と軸方向で係合することにより、前記入力側部材と出力側部材が軸方向で互いに離れる方向の相対移動を規制されていることを特徴とするばねクラッチ。
【請求項２】
前記係合穴は、開口側に小径穴部が形成され、奥側に前記小径穴部よりも大径の大径穴部が形成された二段穴であり、この係合穴の小径穴部と大径穴部との間の段差面に、前記係合軸の係合凸部が軸方向で対向していることを特徴とする請求項１に記載のばねクラッチ。
【請求項３】
前記係合軸が合成樹脂で形成されていることを特徴とする請求項１または２に記載のばねクラッチ。
【請求項４】
前記係合軸に、その先端面および外周面に開口する軸方向溝と、その先端面に開口する中心穴の少なくとも一方が設けられていることを特徴とする請求項１乃至３のいずれかに記載のばねクラッチ。
【請求項５】
前記コイルばねは、断面形状が多角形で、そのうちの一つの面で前記入力側部材および出力側部材に接触するものであり、前記入力側部材と出力側部材の互いの対向面の間の間隔が、前記コイルばねの入力側部材および出力側部材との接触面の幅寸法の９５％以下に設定されていることを特徴とする請求項１乃至４のいずれかに記載のばねクラッチ。
【発明の詳細な説明】
【技術分野】
【０００１】
本発明は、入力側部材の一方向の回転を出力側部材に伝達するばねクラッチに関する。
【背景技術】
【０００２】
プリンタや複写機、ファクシミリの紙送り機構等に組込まれる一方向クラッチとして、コイルばねの締め付けとその締付状態の解除によって一方向の回転トルク（駆動力）の伝達と遮断とを切り替えるばねクラッチが従来から知られている。
【０００３】
ばねクラッチは、非特許文献１に記載されているように、基本的な構成として、円筒状の入力側部材（駆動アーバ）と、その入力側部材と同じ外径の円筒状の出力側部材（従動アーバ）とを、端部どうしが軸方向で対向して同一軸心のまわりに回転する状態で配し、その入力側部材と出力側部材の互いの対向端部の外周に跨るようにコイルばねを巻き付けたものが多い。
【０００４】
上記の構成のばねクラッチでは、入力側部材を所定の方向（コイルばねを入力側から見た巻き方向と反対の方向）に回転させると、コイルばねが縮径して入力側部材および出力側部材を締め付けることにより、入力側部材の回転が出力側部材に伝達され、入力側部材を逆方向に回転させると、コイルばねが拡径して入力側部材および出力側部材に対する締め付けを行わないため、入力側部材から出力側部材への回転伝達は行われず、入力側部材のみが回転（空転）する。
【先行技術文献】
【非特許文献】
【０００５】
【非特許文献１】「機械要素活用マニュアル・ばね」、編者；ニッパツ・日本発条株式会社、発行；１９９５年２月１５日、Ｐ．１３６
【発明の概要】
【発明が解決しようとする課題】
【０００６】
ところで、上記のようなばねクラッチでは、通常、入力側部材と出力側部材の互いの対向面の間の間隔が、コイルばねの断面の幅寸法よりも小さく設定されている。しかしながら、入力側部材および出力側部材の軸方向寸法精度や組み立て時の軸方向位置精度が低い場合には、入力側部材と出力側部材の互いの対向面の間の間隔が設定された寸法よりも広くなって、両部材の互いの対向面の間の隙間にコイルばねの軸方向中央部の一部が落ち込み、ねじり剛性が小さくなったり応答性が低下したりするおそれがある。
【０００７】
そこで、本発明は、ばねクラッチの入力側部材と出力側部材の互いの対向面の間へのコイルばねの落ち込みを防止することを課題とする。
【課題を解決するための手段】
【０００８】
上記の課題を解決するため、本発明は、外周に円筒面が形成された端部どうしが軸方向で対向し、同一軸心のまわりに回転する状態で配されている入力側部材および出力側部材と、前記入力側部材と出力側部材の互いの対向端部の外周に跨って巻き付けられているコイルばねとを備え、前記入力側部材と出力側部材の互いの対向端部の間の間隔が、前記コイルばねの断面の幅寸法よりも小さく設定されているばねクラッチにおいて、前記入力側部材と出力側部材の互いの対向面の一方の中央に、軸方向に延びる円形の係合穴が設けられ、前記入力側部材と出力側部材の互いの対向面の他方の中央に、前記係合穴に摺動自在に挿入される係合軸が設けられ、前記係合軸はその外周から径方向外側に張り出す係合凸部を有し、前記係合軸の係合凸部が前記係合穴の内面と軸方向で係合することにより、前記入力側部材と出力側部材が軸方向で互いに離れる方向の相対移動を規制されている構成を採用した。
【０００９】
上記の構成によれば、入力側部材や出力側部材の軸方向寸法精度が低い場合でも、クラッチを組み立てた状態では、係合軸の係合凸部が係合穴の内面と軸方向で係合して、入力側部材と出力側部材が軸方向で互いに離れる方向の相対移動を規制されるようになるので、入力側部材と出力側部材の互いの対向面の間の間隔がコイルばねの断面の幅寸法よりも広くなることがなく、その対向面の間の隙間へコイルばねの軸方向中央部の一部が落ち込むおそれがなくなる。
【００１０】
ここで、前記係合穴は、開口側に小径穴部が形成され、奥側に前記小径穴部よりも大径の大径穴部が形成された二段穴であり、この係合穴の小径穴部と大径穴部との間の段差面に、前記係合軸の係合凸部が軸方向で対向しているものを採用することができる。
【００１１】
また、前記係合軸が合成樹脂で形成されている構成や、前記係合軸に、その先端面および外周面に開口する軸方向溝と、その先端面に開口する中心穴の少なくとも一方が設けられている構成を採用することにより、係合軸を容易に弾性変形させて係合穴に挿入できるスナップフィット構造とすれば、クラッチ組み立て時に入力側部材と出力側部材の結合作業を効率よく行えるようになる。
【００１２】
また、前記コイルばねは、断面形状が多角形で、そのうちの一つの面で前記入力側部材および出力側部材に接触するものであり、前記入力側部材と出力側部材の互いの対向面の間の間隔が、前記コイルばねの入力側部材および出力側部材との接触面の幅寸法の９５％以下に設定されている構成を採用すれば、コイルばねの入力側部材と出力側部材の互いの対向面の間への落ち込みをより確実に防止できるようになる。
【発明の効果】
【００１３】
本発明のばねクラッチは、上述したように、入力側部材と出力側部材の互いの対向面の一方に設けた係合穴に、他方に設けた係合軸を摺動自在に挿入し、その係合軸の外周から径方向外側に張り出す係合凸部が係合穴の内面と軸方向で係合することにより、入力側部材と出力側部材が軸方向で互いに離れる方向の相対移動を規制されるようにしたものであるから、入力側部材や出力側部材の軸方向寸法精度が低い場合でも、両部材の対向面の間へのコイルばねの落ち込み、およびそれによるねじり剛性や応答性の低下を防止することができる。
【図面の簡単な説明】
【００１４】
【図１】ａは実施形態のばねクラッチの縦断正面図、ｂはａの要部を拡大した断面図
【図２】図１のばねクラッチの要部の分解斜視図
【図３】図１のIII−III線に沿った断面図
【図４】図１のコイルばねの要部を拡大した断面図
【発明を実施するための形態】
【００１５】
以下、図面に基づき本発明の実施形態を説明する。このばねクラッチは、図１（ａ）および図２に示すように、軸方向で対向し、同一軸心のまわりに回転する状態で配されている入力側部材１および出力側部材２と、その入力側部材１と出力側部材２の互いの対向端部の外周に跨って巻き付けられているコイルばね３と、入力側部材１の外周に摺動自在に嵌合し、後述するように入力側部材１の回転の出力側部材２への伝達と遮断を制御する制御歯車４とで基本的に構成されている。
【００１６】
前記入力側部材１は、図示省略したモータ等の駆動源から回転トルク（駆動力）を入力される入力軸５と、入力軸５の出力側（出力側部材２と対向する側）の端部の外周に嵌め込まれるスリーブ６とを、スリーブ６の外周から入力軸５の外周までねじ込まれるねじ７で一体化したものである。
【００１７】
この入力側部材１のスリーブ６は、入力軸５の出力側端面から軸方向にはみ出す状態で入力軸５と一体化されており、これにより、入力側部材１の出力側部材２との対向面の中央に、軸方向に延びる円形の係合穴１ａが設けられた形となっている。そして、入力軸５の出力側端面からはみ出す部分の内周面は、入力軸５の出力側端面の近傍に段差を有し、その段差よりも出力側の部分が入力側部分よりも小径に形成されている。これにより、入力側部材１の係合穴１ａは、開口側に小径穴部が形成され、奥側に小径穴部よりも大径の大径穴部が形成された二段穴となっている。また、スリーブ６の外周面は入力側が大径に形成された２段の円筒面となっており、その大径部にねじ７がねじ込まれ、小径部の大径部と隣接する部分の外周に制御歯車４が嵌合し、小径部の出力側部分の外周にコイルばね３の入力側の半部が巻き付けられている。
【００１８】
前記出力側部材２は、出力軸８と、出力軸８の入力側（入力側部材２と対向する側）の端面の中央に設けられた係合軸９と、出力軸８の軸方向中央部の外周に嵌合固定された出力歯車１０とからなり、その出力軸８と係合軸９とが合成樹脂で一体形成されている。
【００１９】
この出力側部材２の出力軸８は、入力側の端部の外周にコイルばね３の出力側の半部が巻き付けられ、反対側の端部が軸受１１を介してハウジング１２に回転自在に支持されている。係合軸９は、入力側部材１の係合穴１ａ（スリーブ６の入力軸５からのはみ出し部の内側空間）に摺動自在に挿入され、後述するようにスリーブ６と係合するものである。そして、出力歯車１０は、図示省略した外部の回転伝達歯車と噛み合った状態で出力軸８と一体に回転することにより、その回転伝達歯車を介して被駆動部材に駆動力を伝達するようになっている。
【００２０】
ここで、図１（ｂ）、図２および図３に示すように、係合軸９は、その先端面に開口する中心穴９ａと、その先端面から軸方向に延び、外周面から中心穴９ａに貫通する複数のスリット（軸方向溝）９ｂと、その先端部外周のスリット９ｂのない位置から径方向外側に張り出す複数の係合凸部９ｃとを有している。そして、この係合軸９の各係合凸部９ｃが、入力側部材１の係合穴１ａの小径穴部と大径穴部との間の段差面１ｂに軸方向で対向しており、その段差面１ｂと軸方向で係合することにより、入力側部材１と出力側部材２が軸方向で互いに離れる方向の相対移動を規制されるようになっている。
【００２１】
前記コイルばね３は、四角形の各コーナを面取りした断面形状を有するものであり（図４参照）、図１（ａ）、図２および図３に示すように、自然状態よりも拡径した状態で、入力側部材１の一部であるスリーブ６と出力側部材２の一部である出力軸８の互いの対向端部の外周に跨って巻き付けられている。そのスリーブ６と出力軸８の互いの対向面の間の間隔は、コイルばね３の断面の幅寸法Ａ（図４参照）の９５％以下に設定されている。そして、コイルばね３の入力側の端部には、径方向外側へ延びて、後述するように制御歯車４と係合するフック部３ａが形成されている。
【００２２】
前記制御歯車４は、図１（ａ）、図２および図３に示すように、スリーブ６の小径部の外周に摺動自在に嵌め込まれており、この制御歯車４と噛み合う外部の歯車（図示省略）を操作することにより、回転可能な状態と回転不能に拘束される状態が切り替えられるようになっている。この制御歯車４の出力側の端面には、コイルばね３の入力側の端部を収容する座ぐり部４ａが設けられている。そして、その座ぐり部４ａに出力側端面に開口する軸方向溝４ｂが設けられ、この軸方向溝４ｂにコイルばね３のフック部３ａが挿入されている。
【００２３】
このばねクラッチは、上記の構成であり、制御歯車４が回転可能な状態で、入力軸５に所定の方向（コイルばね３を入力側から見た巻き方向と反対の方向）の回転トルク（駆動力）が入力されて、入力軸５とスリーブ６が一体に回転すると、コイルばね３が縮径してスリーブ６および出力軸８を締め付けることにより、入力軸５およびスリーブ６の回転が出力軸８に伝達される。すなわち、入力側部材１から出力側部材２への回転伝達が行われる。そして、出力側部材２の出力歯車１０から被駆動部材に駆動力が伝達される。なお、このときには、コイルばね３もスリーブ６および出力軸８と一体に回転するので、コイルばね３のフック部３ａが制御歯車４の軸方向溝４ｂの側面を押して、制御歯車４を回転させることになる。
【００２４】
そして、上記のように入力側部材１から出力側部材２に回転を伝達しているときに、制御歯車４を回転不能に拘束すると、相対的に制御歯車４がその軸方向溝４ｂの側面でコイルばね３のフック部３ａを入力側部材１の回転方向と逆の方向に押す状態となるので、コイルばね３が拡径してスリーブ６および出力軸８に対する締め付けがなくなり、入力側部材１の回転が出力側部材２に伝わらなくなる。その後、制御歯車４を回転可能な状態に戻せば、相対的に制御歯車４がコイルばね３のフック部３ａを押す力がなくなるので、再びコイルばね３が縮径して入力側部材１から出力側部材２へ回転が伝達されるようになる。
【００２５】
一方、制御歯車４が回転可能な状態でも、入力軸５に上記所定の方向と逆方向の回転トルクが入力されて、入力軸５とスリーブ６が一体回転するときは、コイルばね３が拡径してスリーブ６および出力軸８に対する締め付けを行わないため、入力側部材１から出力側部材２への回転伝達は行われず、入力側部材１のみが回転（空転）する。
【００２６】
ここで、このばねクラッチでは、スリーブ６と出力軸８の互いの対向面の間の間隔がコイルばね３の断面の幅寸法Ａの９５％以下に設定されており、入力側部材１や出力側部材２の軸方向寸法精度が低い場合でも、クラッチを組み立てた状態では、出力側部材２の入力側部材１との対向面に設けられた係合軸９が、入力側部材１の出力側部材２との対向面に設けられた係合穴１ａに摺動自在に挿入され、係合軸９の係合凸部９ｃが係合穴１ａの段差面１ｂと軸方向で係合して、入力側部材１と出力側部材２が軸方向で互いに離れる方向の相対移動を規制されるようになっているので、スリーブ６と出力軸８の互いの対向面の間の間隔がコイルばね３の断面の幅寸法Ａよりも広くなることがなく、その対向面の間の隙間へコイルばね３の軸方向中央部の一部が落ち込むおそれがない。したがって、使用中にコイルばね３の落ち込みによるねじり剛性や応答性の低下が生じるおそれもなく、安定して使用することができる。
【００２７】
また、出力側部材２の係合軸９を出力軸８と一体に合成樹脂で形成し、その先端側に中心穴９ａおよび外周面から中心穴９ａに貫通するスリット９ｂを設けることにより、係合軸９を容易に弾性変形させて入力側部材１の係合穴１ａに挿入できるスナップフィット構造としているので、クラッチ組み立て時には入力側部材１と出力側部材２の結合作業を効率よく行うことができる。
【００２８】
なお、上述した実施形態では入力側部材１に係合穴１ａを設け、出力側部材２に係合軸９を設けたが、これと逆に、入力側部材の出力側部材との対向面に係合軸を設け、出力側部材の入力側部材との対向面に係合穴を設けて、その係合軸の係合凸部が係合穴の内面と軸方向で係合するようにしてもよい。
【００２９】
また、係合穴は、必ずしも実施形態のような二段穴でなくてもよく、係合軸の係合凸部が軸方向で係合するように形成されていればよい。
【００３０】
また、係合軸は、実施形態のように合成樹脂製とし、中心穴とスリットを設けてスナップフィット構造とすることが望ましいが、中心穴だけ、あるいは先端面および外周面に開口する軸方向溝だけを設けるようにしてもよい。一方、係合軸をスナップフィット構造とせずに出力軸と別体で形成し、クラッチ組立時に、スリーブの入力側から係合軸と入力軸を挿入した後、係合軸を出力軸とねじ等で結合する構造とすることもできる。この場合、係合軸および出力軸は金属製とすることができる。
【００３１】
また、コイルばねは、実施形態のような面取りのある四角形断面のものに限らず、円形断面のもの等も用いることができるが、入力側部材と出力側部材の互いの対向面の間の隙間への落ち込みを確実に防止するには、多角形断面の一つの面で入力側部材および出力側部材に接触するものを用い、そのコイルばねの面取りも考慮して、実施形態のように入力側部材と出力側部材の互いの対向面の間の間隔を、コイルばねの入力側部材および出力側部材との接触面の幅寸法の９５％以下に設定することが望ましい。
【００３２】
また、実施形態では、コイルばね３の出力側は端部まで出力軸８に巻き付けられているが、出力軸にその入力側端面に開口する軸方向溝を設け、コイルばね出力側の端部に径方向内側へ延びるフック部を形成して、このコイルばねの出力側のフック部を出力軸の軸方向溝に挿入することにより、コイルばねの縮径時および拡径時にその出力側のフック部が出力軸と係合して、コイルばねの締め付けおよびその締付状態の解除がより確実に行われるようにすることもできる。
【符号の説明】
【００３３】
１  入力側部材
１ａ  係合穴
１ｂ  段差面
２  出力側部材
３  コイルばね
３ａ  フック部
４  制御歯車
５  入力軸
６  スリーブ
７  ねじ
８  出力軸
９  係合軸
９ａ  中心穴
９ｂ  スリット（軸方向溝）
９ｃ  係合凸部
１０  出力歯車
１１  軸受
１２  ハウジング
【図１】
2018179246.tif 000003
【図２】
2018179246.tif 000004
【図３】
2018179246.tif 000005
【図４】
2018179246.tif 000006